(57)【要約】【課題】レーザダイオードの自己発熱に起因してレーザダイオードの出力が大きくなる場合であっても、記録速度の増加に応じてレーザパワーを最適値に保つことが可能な光ディスク装置およびそのレーザパワー制御方法を提供することを目的とする。【解決手段】レーザ光を用いて光ディスク１に記録する光ピックアップ４と、レーザ光のレーザパワーを制御するデジタル信号処理部１１、記録速度の増加に応じて所定の増分で増加する標準レーザパワーを記憶する記憶部１４と、記録速度を検出して対応する標準レーザパワーをデジタル信号処理部１１に設定し、現在の記録速度に対応する実際のレーザパワーとの差分が所定値を越えた場合、次回の記録速度に対応する標準レーザパワーを設定せずに現在の記録速度に対応する標準レーザパワーを維持するコントローラ１３とを具備することを特徴とする。【選択図】図１
2007280472.tif 000002
【特許請求の範囲】
【請求項１】
レーザ光を用いて光ディスクに記録する光ピックアップと、
前記レーザ光のレーザパワーを制御するレーザ制御手段と、
記録速度の増加に応じて所定の増分で増加する標準レーザパワーを記憶する記憶手段と、
記録速度を検出して対応する標準レーザパワーを前記レーザ制御手段に設定し、現在の記録速度に対応する実際のレーザパワーとの差分が所定値を越えた場合、次回の記録速度に対応する標準レーザパワーを設定せずに前記現在の記録速度に対応する標準レーザパワーを維持する制御手段と、を具備することを特徴とする光ディスク装置。
【請求項２】
レーザ光を用いて光ディスクに記録する光ピックアップと、
前記レーザ光のレーザパワーを制御するレーザ制御手段と、
記録速度の増加に応じて所定の増分で増加する標準レーザパワーを記憶する記憶手段と、
記録速度を検出して対応する標準レーザパワーを前記レーザ制御手段に設定し、現在の記録速度に対応する実際のレーザパワーとの差分が所定値を越えた場合、前記現在の記録速度に対応する標準レーザパワーより小さいレーザパワーを設定する制御手段と、を具備することを特徴とする光ディスク装置。
【請求項３】
前記制御手段は、現在の記録速度に対応する標準レーザパワーを維持した後、次々回の記録速度に対応する標準レーザパワーと前記次々回の記録速度に対応する実際のレーザパワーとの差分が所定値以下の場合、前記次々回の記録速度において最初の記録速度の増加に対して増加された増加分のレーザパワーを加えることを特徴とする請求項１記載の光ディスク装置。
【請求項４】
前記制御手段は、現在の記録速度に対応する標準レーザパワーより小さいレーザパワーを設定した後、次々回の記録速度に対応する標準レーザパワーと前記次々回の記録速度に対応する実際のレーザパワーとの差分が所定値以下の場合、前記次々回の記録速度において最初の記録速度の増加に対して増加された増加分のレーザパワーを加えることを特徴とする請求項２に記載の光ディスク装置。
【請求項５】
レーザ光を用いて光ディスクに記録する際に、記録速度を検出して対応する標準レーザパワーを設定し、現在の記録速度に対応する実際のレーザパワーとの差分が所定値を越えた場合、次回の記録速度に対応する標準レーザパワーを設定せずに前記現在の記録速度に対応する標準レーザパワーを維持することを特徴とする光ディスク装置のレーザパワー制御方法。
【請求項６】
レーザ光を用いて光ディスクに記録する際に、記録速度を検出して対応する標準レーザパワーを設定し、現在の記録速度に対応する実際のレーザパワーとの差分が所定値を越えた場合、前記現在の記録速度に対応する標準レーザパワーより小さいレーザパワーを設定することを特徴とする光ディスク装置のレーザパワー制御方法。
【請求項７】
現在の記録速度に対応する標準レーザパワーを維持した後、次々回の記録速度に対応する標準レーザパワーと前記次々回の記録速度に対応する実際のレーザパワーとの差分が所定値以下の場合、前記次々回の記録速度において最初の記録速度の増加に対して増加分のレーザパワーを加えることを特徴とする請求項５に記載の光ディスク装置のレーザパワー制御方法。
【請求項８】
現在の記録速度に対応する標準レーザパワーより小さいレーザパワーを設定した後、次々回の記録速度に対応する標準レーザパワーと前記次々回の記録速度に対応する実際のレーザパワーとの差分が所定値以下の場合、前記次々回の記録速度において最初の記録速度の増加に対して増加分のレーザパワーを加えることを特徴とする請求項６に記載の光ディスク装置のレーザパワー制御方法。
【発明の詳細な説明】
【技術分野】
【０００１】
本発明は、光ディスクに情報の記録を行う光ディスク装置およびそのレーザパワー制御方法に関するものである。
【背景技術】
【０００２】
光ディスク装置は、各方面への応用と高性能化への開発が活発に行われている。特に最近では高倍速記録対応の光ディスクが登場し、光ディスク装置のレーザパワー制御も従来以上の高度な制御が要求されるようになってきている。
【０００３】
ここで、従来の光ディスク装置の構成について、図６を用いて説明する。
【０００４】
図６は従来の光ディスク装置のレーザ制御部を示すブロック図である。図６において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１２はレーザ駆動部、１３はコントローラである。
【０００５】
ピックアップモジュール２は、光ディスク１を回転させるスピンドルモータ３と、光ディスク１にレーザの発光パターンを利用して情報の記録または再生の少なくとも一方を行う光ピックアップ４と、光ピックアップ４が搭載されたキャリッジ５を光ディスク１の半径方向に移動させるためのフィード部６とによって構成されている。
【０００６】
アナログ信号処理部８はキャリッジ５に設けられた光ピックアップ４内部の分割光センサ（図示せず）からの信号出力を基に、データ再生のためのＲＦ信号を生成してデジタル信号処理部１１に送る。また、分割光センサの出力信号に演算・帯域処理を施し、サーボ処理部９に出力する。
【０００７】
サーボ処理部９は、演算回路、フィルタ回路、増幅回路等によって構成され、アナログ信号処理部８からの信号を元にフォーカスエラー信号およびトラッキングエラー信号を生成する。光ビームスポットが光ディスク１の情報トラックに追従するようにフォーカスエラー信号およびトラッキングエラー信号を基にモータ駆動部１０を介して対物レンズをフォーカス／トラッキング制御し、さらにトラッキングエラー信号の低域成分を用いて対物レンズが概略中立位置を保持するようにフィード制御を行う。フィード部６はフィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【０００８】
デジタル信号処理部１１はデータスライサ、ＰＬＬ回路、変調・復調回路、エラー訂正回路、レーザ制御回路、バッファメモリ、ホストインターフェース回路等から構成され、アナログ信号処理部８から入力されるＲＦ信号を２値化しエラー訂正を行った後、情報信号としてホストに送信したり、ホストから送られたデータを変調して光ディスク１に情報を記録するためのレーザ変調信号を生成してレーザ駆動部１２に送り、レーザの記録制御を行う。コントローラ１１３はこのように構成された制御部の全体のコントロールを行うものである。
【０００９】
光ピックアップ４を用いて光ディスク１に情報の記録を行う際、光ディスク１への記録は光ディスク１の内周側から外周側に向かって記録が行われるため、スピンドルモータ３の回転数が一定の場合、一旦記録が開始されると光ディスク１と光ピックアップ４の相対速度が徐々に大きくなり、記録速度である記録線速度が速くなる。そのため、その記録線速度の増加に応じて光ピックアップ４から発せられるレーザ光の光量を段階的に増加させながら、光ディスク１の単位面積当たりに照射されるレーザ光の光量を使用する光ディスク１に応じた最適値に保つように制御している。これにより、一定の記録品質を維持している。
【００１０】
この分野に関する先行技術の一例が、（特許文献１）に記載されている。
【特許文献１】特開２００２−２０８１３９号公報
【発明の開示】
【発明が解決しようとする課題】
【００１１】
従来の光ディスク装置においては、光ディスク１の単位面積当たりに照射されるレーザ光の光量を使用する光ディスク１に応じた最適値に保つために、記録速度である記録線速度とレーザパワーの関係に基づきレーザパワーの制御を行っている。
【００１２】
図７は、記録線速度とレーザパワーの関係を示す図であり、横軸は光ディスクへの記録速度である記録線速度、縦軸は光ディスクに記録する際のレーザパワーを示したものである。図７において、一点鎖線は最適な記録レーザパワー制御を示し、破線は従来のレーザパワー制御を示す。
【００１３】
スピンドルモータ３の回転数一定で光ピックアップ４を用いて光ディスク１に情報の記録を行う際、光ディスク１への記録が進むにつれて、光ディスク１と光ピックアップ４の相対速度が徐々に大きくなり、記録速度である記録線速度が速くなる。光ディスク１に記録する際のレーザパワーは、記録線速度とレーザパワーの関係が図７の一点鎖線で示す最適な記録レーザパワー制御の関係に近づくように、記録線速度の増加に応じてレーザパワーを段階的に増加させる。段階的に増加させるレーザパワーの調整は、光ピックアップ４に設けられたレーザダイオードの出力を変化させることにより調整する。
【００１４】
しかしながら、レーザダイオードの出力は温度により上昇しやすい特性を有している。そのため、既に長時間発光し続けていたレーザダイオードをそのまま休み無く使用する場合にはレーザダイオードの自己発熱が大きくなり、記録線速度に応じて段階的に増加させているはずのレーザパワーが実際には意図した増加率、すなわち最適な増加率より大きい増加率になっている場合があった。
【００１５】
本発明は、上記課題を解決するためになされたものであり、レーザダイオードの自己発熱に起因してレーザダイオードの出力が大きくなる場合であっても、記録速度の増加に応じてレーザパワーを最適値に保つことが可能な光ディスク装置およびそのレーザパワー制御方法を提供することを目的とする。
【課題を解決するための手段】
【００１６】
本発明は、レーザ光を用いて光ディスクに記録する光ピックアップと、レーザ光のレーザパワーを制御するレーザ制御手段と、記録速度の増加に応じて所定の増分で増加する標準レーザパワーを記憶する記憶手段と、記録速度を検出して対応する標準レーザパワーをレーザ制御手段に設定し、現在の記録速度に対応する実際のレーザパワーとの差分が所定値を越えた場合、次回の記録速度に対応する標準レーザパワーを設定せずに現在の記録速度に対応する標準レーザパワーを維持する制御手段と、を具備することを特徴とする光ディスク装置およびそのレーザパワー制御方法である。
【００１７】
また本発明は、レーザ光を用いて光ディスクに記録する光ピックアップと、レーザ光のレーザパワーを制御するレーザ制御手段と、記録速度の増加に応じて所定の増分で増加する標準レーザパワーを記憶する記憶手段と、記録速度を検出して対応する標準レーザパワーをレーザ制御手段に設定し、現在の記録速度に対応する実際のレーザパワーとの差分が所定値を越えた場合、現在の記録速度に対応する標準レーザパワーより小さいレーザパワーを設定する制御手段と、を具備することを特徴とする光ディスク装置およびそのレーザパワー制御方法である。
【発明の効果】
【００１８】
本発明は上記構成により、レーザ光を用いて光ディスクに記録する際に、記録速度を検出して対応する標準レーザパワーを設定し、現在の記録速度に対応する実際のレーザパワーとの差分が所定値を越えた場合、次回の記録速度に対応する標準レーザパワーを設定せずに現在の記録速度に対応する標準レーザパワーを維持することによって、実際のレーザパワーが最適な記録レーザパワーを上回ったと検知した場合、実際のレーザパワーを一定に維持するので、記録速度が上昇するに伴い実際のレーザパワーを最適な記録レーザパワーに近づけることができる。
【００１９】
また本発明は上記構成によって、レーザ光を用いて光ディスクに記録する際に、記録速度を検出して対応する標準レーザパワーを設定し、現在の記録速度に対応する実際のレーザパワーとの差分が所定値を越えた場合、現在の記録速度に対応する標準レーザパワーより小さいレーザパワーを設定することによって、実際のレーザパワーが最適な記録レーザパワーを上回ったと検知した場合、実際のレーザパワーを小さくして、その後その実際のレーザパワーを一定に維持するので、記録速度が上昇するに伴い実際のレーザパワーを最適な記録レーザパワーに近づけることができる。
【００２０】
そのため、レーザダイオードの自己発熱に起因してレーザダイオードの出力が大きくなる場合であっても、記録速度の増加に応じてレーザパワーを最適値に保つことが可能な光ディスク装置およびそのレーザパワー制御方法を実現することができる。
【発明を実施するための最良の形態】
【００２１】
請求項１記載の発明は、レーザ光を用いて光ディスクに記録する光ピックアップと、レーザ光のレーザパワーを制御するレーザ制御手段と、記録速度の増加に応じて所定の増分で増加する標準レーザパワーを記憶する記憶手段と、記録速度を検出して対応する標準レーザパワーをレーザ制御手段に設定し、現在の記録速度に対応する実際のレーザパワーとの差分が所定値を越えた場合、次回の記録速度に対応する標準レーザパワーを設定せずに現在の記録速度に対応する標準レーザパワーを維持する制御手段と、を具備することを特徴とする光ディスク装置である。このような構成により、レーザ光を用いて光ディスクに記録する際に、記録速度を検出して対応する標準レーザパワーを設定し、現在の記録速度に対応する実際のレーザパワーとの差分が所定値を越えた場合、次回の記録速度に対応する標準レーザパワーを設定せずに現在の記録速度に対応する標準レーザパワーを維持することによって、実際のレーザパワーが最適な記録レーザパワーを上回ったと検知した場合、実際のレーザパワーを一定に維持するので、記録速度が上昇するに伴い実際のレーザパワーを最適な記録レーザパワーに近づけることができる。そのため、レーザダイオードの自己発熱に起因してレーザダイオードの出力が大きくなる場合であっても、記録速度の増加に応じてレーザパワーを最適値に保つことが可能な光ディスク装置を実現することができる。
【００２２】
請求項２記載の発明は、レーザ光を用いて光ディスクに記録する光ピックアップと、レーザ光のレーザパワーを制御するレーザ制御手段と、記録速度の増加に応じて所定の増分で増加する標準レーザパワーを記憶する記憶手段と、記録速度を検出して対応する標準レーザパワーをレーザ制御手段に設定し、現在の記録速度に対応する実際のレーザパワーとの差分が所定値を越えた場合、現在の記録速度に対応する標準レーザパワーより小さいレーザパワーを設定する制御手段と、を具備することを特徴とする光ディスク装置である。このような構成により、レーザ光を用いて光ディスクに記録する際に、記録速度を検出して対応する標準レーザパワーを設定し、現在の記録速度に対応する実際のレーザパワーとの差分が所定値を越えた場合、現在の記録速度に対応する標準レーザパワーより小さいレーザパワーを設定することによって、実際のレーザパワーが最適な記録レーザパワーを上回ったと検知した場合、実際のレーザパワーを小さくして、その後その実際のレーザパワーを一定に維持するので、記録速度が上昇するに伴い実際のレーザパワーを最適な記録レーザパワーに近づけることができる。そのため、レーザダイオードの自己発熱に起因してレーザダイオードの出力が大きくなる場合であっても、記録速度の増加に応じてレーザパワーを最適値に保つことが可能な光ディスク装置を実現することができる。
【００２３】
請求項３記載の発明は、制御手段が、現在の記録速度に対応する標準レーザパワーを維持した後、次々回の記録速度に対応する標準レーザパワーと次々回の記録速度に対応する実際のレーザパワーとの差分が所定値以下の場合、次々回の記録速度において最初の記録速度の増加に対して増加された増加分のレーザパワーを加えることを特徴とする請求項１記載の光ディスク装置である。このような構成により、現在の記録速度に対応する標準レーザパワーを維持した後、次々回の記録速度に対応する標準レーザパワーと次々回の記録速度に対応する実際のレーザパワーとの差分が所定値以下の場合、次々回の記録速度において最初の記録速度の増加に対して増加された増加分のレーザパワーを加えることによって、記録速度が速くなり実際のレーザパワーが最適な記録レーザパワーを上回っている状態から下回りそうになったとき、実際のレーザパワーを維持することができる。
【００２４】
請求項４記載の発明は、制御手段が、現在の記録速度に対応する標準レーザパワーより小さいレーザパワーを設定した後、次々回の記録速度に対応する標準レーザパワーと次々回の記録速度に対応する実際のレーザパワーとの差分が所定値以下の場合、次々回の記録速度において最初の記録速度の増加に対して増加された増加分のレーザパワーを加えることを特徴とする請求項２に記載の光ディスク装置である。このような構成により、現在の記録速度に対応する標準レーザパワーより小さいレーザパワーを設定した後、次々回の記録速度に対応する標準レーザパワーと次々回の記録速度に対応する実際のレーザパワーとの差分が所定値以下の場合、次々回の記録速度において最初の記録速度の増加に対して増加分のレーザパワーを加えることによって、記録速度が速くなり実際のレーザパワーが最適な記録レーザパワーを上回っている状態から下回りそうになったとき、実際のレーザパワーを維持することができる。
【００２５】
請求項５記載の発明は、レーザ光を用いて光ディスクに記録する際に、記録速度を検出して対応する標準レーザパワーを設定し、現在の記録速度に対応する実際のレーザパワーとの差分が所定値を越えた場合、次回の記録速度に対応する標準レーザパワーを設定せずに現在の記録速度に対応する標準レーザパワーを維持することを特徴とする光ディスク装置のレーザパワー制御方法である。レーザ光を用いて光ディスクに記録する際に、記録速度を検出して対応する標準レーザパワーを設定し、現在の記録速度に対応する実際のレーザパワーとの差分が所定値を越えた場合、次回の記録速度に対応する標準レーザパワーを設定せずに現在の記録速度に対応する標準レーザパワーを維持することによって、実際のレーザパワーが最適な記録レーザパワーを上回ったと検知した場合、実際のレーザパワーを一定に維持するので、記録速度が上昇するに伴い実際のレーザパワーを最適な記録レーザパワーに近づけることができる。そのため、レーザダイオードの自己発熱に起因してレーザダイオードの出力が大きくなる場合であっても、記録速度の増加に応じてレーザパワーを最適値に保つことが可能な光ディスク装置のレーザパワー制御方法を実現することができる。
【００２６】
請求項６記載の発明は、レーザ光を用いて光ディスクに記録する際に、記録速度を検出して対応する標準レーザパワーを設定し、現在の記録速度に対応する実際のレーザパワーとの差分が所定値を越えた場合、現在の記録速度に対応する標準レーザパワーより小さいレーザパワーを設定することを特徴とする光ディスク装置のレーザパワー制御方法である。レーザ光を用いて光ディスクに記録する際に、記録速度を検出して対応する標準レーザパワーを設定し、現在の記録速度に対応する実際のレーザパワーとの差分が所定値を越えた場合、現在の記録速度に対応する標準レーザパワーより小さいレーザパワーを設定することによって、実際のレーザパワーが最適な記録レーザパワーを上回ったと検知した場合、実際のレーザパワーを小さくして、その後その実際のレーザパワーを一定に維持するので、記録速度が上昇するに伴い実際のレーザパワーを最適な記録レーザパワーに近づけることができる。そのため、レーザダイオードの自己発熱に起因してレーザダイオードの出力が大きくなる場合であっても、記録速度の増加に応じてレーザパワーを最適値に保つことが可能な光ディスク装置のレーザパワー制御方法を実現することができる。
【００２７】
請求項７記載の発明は、現在の記録速度に対応する標準レーザパワーを維持した後、次々回の記録速度に対応する標準レーザパワーと次々回の記録速度に対応する実際のレーザパワーとの差分が所定値以下の場合、次々回の記録速度において最初の記録速度の増加に対して増加分のレーザパワーを加えることを特徴とする請求項５に記載の光ディスク装置のレーザパワー制御方法である。現在の記録速度に対応する標準レーザパワーを維持した後、次々回の記録速度に対応する標準レーザパワーと次々回の記録速度に対応する実際のレーザパワーとの差分が所定値以下の場合、次々回の記録速度において最初の記録速度の増加に対して増加された増加分のレーザパワーを加えることによって、記録速度が速くなり実際のレーザパワーが最適な記録レーザパワーを上回っている状態から下回りそうになったとき、実際のレーザパワーを維持することができる。
【００２８】
請求項８記載の発明は、現在の記録速度に対応する標準レーザパワーより小さいレーザパワーを設定した後、次々回の記録速度に対応する標準レーザパワーと次々回の記録速度に対応する実際のレーザパワーとの差分が所定値以下の場合、次々回の記録速度において最初の記録速度の増加に対して増加分のレーザパワーを加えることを特徴とする請求項６に記載の光ディスク装置のレーザパワー制御方法である。現在の記録速度に対応する標準レーザパワーより小さいレーザパワーを設定した後、次々回の記録速度に対応する標準レーザパワーと次々回の記録速度に対応する実際のレーザパワーとの差分が所定値以下の場合、次々回の記録速度において最初の記録速度の増加に対して増加分のレーザパワーを加えることによって、記録速度が速くなり実際のレーザパワーが最適な記録レーザパワーを上回っている状態から下回りそうになったとき、実際のレーザパワーを維持することができる。
【００２９】
（実施の形態１）
以下、本発明の実施の形態１について、図面を参照しながら説明する。
【００３０】
図１は本発明の実施の形態１における光ディスク装置のレーザパワー制御部を示すブロック図である。図１において、１は光ディスク、２はピックアップモジュール、３はスピンドルモータ、４は光ピックアップ、５はキャリッジ、６はフィード部、７はフィードモータ、８はアナログ信号処理部、８ａはウォブル信号生成部、８ｂはＲＦ信号生成部、９はサーボ処理部、１０はモータ駆動部、１１はデジタル信号処理部、１２はレーザ駆動部、１３はコントローラ、１４は記憶部である。
【００３１】
ピックアップモジュール２は、光ディスク１を回転させるスピンドルモータ３と、光ディスク１にレーザの発光パターンを利用して情報の記録または再生の少なくとも一方を行う光ピックアップ４と、光ピックアップ４が搭載されたキャリッジ５を光ディスク１の半径方向に移動させるためのフィード部６とによって構成されている。
【００３２】
アナログ信号処理部８は少なくともウォブル信号生成部８ａとＲＦ信号生成部８ｂを有している。ウォブル信号生成部８ａは、キャリッジ５に設けられた光ピックアップ４内部の分割光センサ（図示せず）の出力信号からウォブル信号を検出し、デジタル信号処理部１１へ送る。ＲＦ信号生成部８ｂは、キャリッジ５に設けられた光ピックアップ４内部の分割光センサ（図示せず）の出力信号からデータ再生のためのＲＦ信号を生成してデジタル信号処理部１１に送る。また、アナログ信号処理部８は分割光センサの出力信号に演算・帯域処理を施し、サーボ処理部９に出力する。
【００３３】
サーボ処理部９は、演算回路、フィルタ回路、増幅回路等によって構成され、アナログ信号処理部８からの信号を元にフォーカスエラー信号およびトラッキングエラー信号を生成する。光ビームスポットが光ディスク１の情報トラックに追従するようにフォーカスエラー信号およびトラッキングエラー信号を基にモータ駆動部１０を介して対物レンズをフォーカス／トラッキング制御し、さらにトラッキングエラー信号の低域成分を用いて対物レンズが概略中立位置を保持するようにフィード制御を行う。フィード部６はフィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【００３４】
デジタル信号処理部１１はデータスライサ、ＰＬＬ回路、変調・復調回路、エラー訂正回路、レーザ制御回路、バッファメモリ、ホストインターフェース回路等から構成されている。デジタル信号処理部１１では、アナログ信号処理部８から入力されるＲＦ信号を２値化しエラー訂正を行ったのち情報信号としてホストに送信したり、ホストから送られたデータを変調して光ディスク１に情報を記録するためのレーザ変調信号を生成してレーザ駆動部１２に送りレーザの記録制御を行ったり、光ディスク１に記録する際にレーザダイオードから発せられるレーザ光のレーザパワーの制御を行う。また、デジタル信号処理部１１は、ウォブル信号生成部８ａから入力されるウォブル信号の周期から、記録速度である記録線速度を一定間隔時間で検出する。
【００３５】
コントローラ１３は、このように構成された光ディスク装置全体のコントロールを行うと共に、検出した記録速度に対応する標準レーザパワーをデジタル信号処理部１１に設定し、光ディスク１に記録する際の記録線速度とレーザパワーの関係が最適な記録レーザパワー制御の関係になるように、記録線速度の増加に応じて光ピックアップ４から発せられるレーザ光の光量を段階的に増加させる。ここで、標準レーザパワーとは、光ディスク１に記録する際の記録線速度に応じて所定の増分で増加するレーザパワーのことであり、ＲＯＭなどの記憶部１４に保持されており、一定間隔時間で検出された記録線速度に応じて記憶部１４から読み出され、コントローラ１３に随時再設定される。本実施の形態１におけるレーザパワー制御は、一定間隔時間で検出する記録線速度と同時に現在の記録線速度に対応する実際のレーザパワーを算出し、その実際のレーザパワーと標準レーザパワーとの差が所定値を越えた場合に、次回の記録速度に対応する標準レーザパワーを設定せずに現在の記録速度に対応する標準レーザパワーを維持するものである。実際のレーザパワーの算出方法と標準レーザパワーの設定方法の詳細については、図２を用いて後述するものとする。
【００３６】
本実施の形態１においては、レーザ光を用いて光ディスク１に記録する光ピックアップが光ピックアップ４、光ピックアップ４から発せられるレーザ光のレーザパワーを制御するレーザ制御手段がデジタル信号処理部１１、記録速度の増加に応じて所定の増分で増加する標準レーザパワーを記憶する記憶手段が記憶部１４、記録速度を検出して対応する標準レーザパワーをレーザ制御手段に設定し、現在の記録速度に対応する実際のレーザパワーとの差分が所定値を越えた場合、次回の記録速度に対応する標準レーザパワーを設定せずに現在の記録速度に対応する標準レーザパワーを維持する制御手段がコントローラ１３である。
【００３７】
ここで、本実施の形態１における光ディスク装置の信号の流れについて説明する。本実施の形態１の光ディスク装置における記録速度検出時の信号の流れは、光ディスク１に記録された情報を光ピックアップ４で読み取り、アナログ信号処理部８、デジタル信号処理部１１を介して、コントローラ１３が情報の入手を行う。また、本実施の形態１の光ディスク装置における標準レーザパワーに基づくレーザパワー制御時の信号の流れは、コントローラ１３の指令に基づきデジタル信号処理部１１、レーザ駆動部１２を介して光ピックアップ４を動作させ、光ディスク１に記録を行うレーザパワーの制御を行う。
【００３８】
次に、標準レーザパワーの設定方法と実際のレーザパワーの算出方法について、詳細内容を説明する。
【００３９】
図２は、本発明の実施の形態１における記録線速度とアシンメトリとレーザパワーの関係を示す図である。図２（ａ）は、本発明の実施の形態１における記録線速度とレーザパワーの関係を示す図であり、横軸は光ディスクへの記録速度である記録線速度、縦軸は光ディスクに記録する際のレーザパワーを示したものである。図２（ａ）において、一点鎖線は最適な記録レーザパワー制御の場合の記録線速度とレーザパワーの関係を示し、実線は本発明の記録線速度とレーザパワーの関係を示したものである。図２（ｂ）は、本発明の実施の形態１における記録線速度とアシンメトリの関係を示す図であり、横軸は光ディスクへの記録速度である記録線速度、縦軸は光ディスクに記録された信号のアシンメトリを示したものである。図２（ｂ）において、一点鎖線は最適な記録レーザパワー制御の場合の記録線速度とアシンメトリの関係を示し、実線は本発明の記録速度とアシンメトリとの関係を示したものである。ここで、アシンメトリとは、ＲＦ信号生成部８ｂで生成されたＲＦ信号から光ディスク１に記録された記録マークの３Ｔに相当する信号のみを抽出し、その信号の基準レベルとＲＦ信号全体の基準レベルのレベル差をいう。
【００４０】
光ピックアップ４を用いて光ディスク１に情報の記録を行う際、光ディスク１への記録は光ディスク１の内周側から外周側に向かって記録が行われるため、スピンドルモータ３の回転数が一定の場合、一旦記録が開始されると光ディスク１と光ピックアップ４の相対速度が徐々に大きくなり、記録速度である記録線速度が速くなる。光ディスク１に記録を開始する際の標準レーザパワーの初期値は記憶部１４から読み込まれ、以降光ディスク１に記録する際のレーザパワーは、記録線速度とレーザパワーの関係が図２（ａ）の一点鎖線で示す最適なレーザパワー制御の関係に近づくように、記録速度である記録線速度の増加に応じて標準レーザパワーを再設定し、レーザパワーを段階的に増加させる。段階的に増加させるレーザパワーの調整は、光ピックアップ４に設けられたレーザダイオードの出力を変化させることにより調整する。また標準レーザパワーの設定は、一定間隔時間で行われる記録線速度の検出と同時に行われ、現在の記録線速度に対応する実際のレーザパワーとの差分が所定値を越えた場合には、次回の記録速度に対応する標準レーザパワーを設定せずに現在の記録速度に対応する標準レーザパワーを維持する。
【００４１】
ここで、本実施の形態１におけるレーザパワーとアシンメトリの関係について説明する。
【００４２】
レーザパワーとアシンメトリの関係は、図２（ａ）と図２（ｂ）に示す関係がある。ここで、図２（ａ）と図２（ｂ）に示す横軸の記録線速度を共に同一スケールとしているため、記録線速度とアシンメトリとの関係を直接比較することが可能である。記録線速度に対して最適なレーザパワーで記録された信号を再生した場合、その再生信号から算出されるアシンメトリは、それ以外の場合と比較して値が小さくなり、かつ記録線速度に対して一定の値となる。
【００４３】
ところが、記録線速度に対して最適な記録レーザパワーより大きいレーザパワーで記録された場合、アシンメトリは図２（ｂ）に示すように、最適な記録レーザパワーで記録されたときのアシンメトリより大きく、かつ一定の増分で増加する。このときのレーザパワーの増加分をΔＰｂ、アシンメトリの増加分をΔｂとすると、レーザパワー増加分ΔＰｂとアシンメトリの増加分Δｂの関係は、ΔＰｂ＝γａ×Δｂとなる。ここで、γａはアシンメトリ増加に対するパワー増加率である。
【００４４】
一方、記録線速度が増加してもその記録線速度に応じてレーザパワーが上昇しない場合のアシンメトリは、図２（ｂ）に示すように、最適な記録レーザパワーで記録されたときのアシンメトリより大きく、かつ一定の減少分で減少する。このときのレーザパワーの減少分をΔＰｂ、アシンメトリの減少分をΔｂとすると、レーザパワー減少分ΔＰｂとアシンメトリの減少分Δｂの関係は、ΔＰｂ＝γａ×Δｂとなる。ここで、γａはアシンメトリ増加に対するパワー増加率である。
【００４５】
このように、アシンメトリは記録されたレーザパワーにより変化するため、アシンメトリを測定することによってどれくらいのレーザパワーで記録されたかを知ることができる。
【００４６】
引続き図２を用いて、線速度の変化に対してレーザパワーがどのように変化するかについて説明する。
【００４７】
光ディスク１の所望の位置で記録が開始されると、その所望の位置に対応する記録線速度で記録が行われる。光ディスク１の記録は光ディスク１の内周側から外周側に向かって記録が行われるため、スピンドルモータ３の回転数が一定の場合、一旦記録が開始されると光ディスク１と光ピックアップ４の相対速度が徐々に大きくなり、記録速度である記録線速度が速くなる。
【００４８】
図２（ａ）において、Ａで示す位置を記録開始時の記録線速度とレーザパワーとすると、図２（ａ）の実線で示すように記録開始直後から記録線速度とレーザパワーが大きくなっていく。その後一定時間が経過して、Ｂで示す１回目の記録線速度確認を行うとき、記録を一旦停止して記録停止直前に記録した領域の終端領域を再生し、その再生信号からアシンメトリを算出しレーザパワーを推定する。このとき、現在の記録速度に対応する実際のレーザパワーとの差分が所定値を越えていた場合、図２に示すように次回の記録速度に対応する標準レーザパワーを設定せずに現在の記録速度に対応する標準レーザパワーを維持する。また、現在の記録速度に対応する実際のレーザパワーとの差分が所定値を越えていない場合には、次回の記録速度に対応する標準レーザパワーを設定し従来と同様の増加分をもったレーザパワーで記録を継続する。その後、一定時間が経過してＤで示す２回目の記録速度確認を行うとき、１回目の記録速度確認の時と同様に、記録を一旦停止して記録停止直前に記録した領域の終端領域を再生し、その再生信号からアシンメトリを算出しレーザパワーを推定する。このとき、現在の記録速度に対応する実際のレーザパワーとの差分が所定値を越えていた場合、１回目の記録速度確認の時と同様に、次回の記録速度に対応する標準レーザパワーを設定せずに現在の記録速度に対応する標準レーザパワーを維持する。また、現在の記録速度に対応する実際のレーザパワーとの差分が所定値を越えていない場合には、図２に示すように次回の記録速度に対応する標準レーザパワーを設定し従来と同様の増加分をもったレーザパワーで記録を行う。
【００４９】
ここで、現在の記録速度に対応する実際のレーザパワーとの差分が所定値を越えて、次回の記録速度に対応する標準レーザパワーを設定せずに現在の記録速度に対応する標準レーザパワーを維持する場合には、測定されたアシンメトリ値から算出されたΔＰｂの量から記録線速度に応じたパワー補正区間を算出し、その算出結果に応じてパワー補正停止期間を計算する。パワー補正停止期間ΔＶSTOPは、ΔＶSTOP＝ΔＰｂ×α／γVであり、ここでγVは線速度増加に対するパワー増加率、αは補正区間を微調整するための係数である。また、現在の記録速度に対応する実際のレーザパワーとの差分が所定値を越えていない場合には、予め決められた一定時間後に次の記録速度の測定を行う。
【００５０】
次に、光ディスクに情報を記録する際のレーザパワー制御手順について、図１〜図３を用いて説明する。
【００５１】
図３は、本発明の実施の形態１におけるレーザパワー制御手順を示すフローチャートである。
【００５２】
ＨＯＳＴから光ディスク１への書き込み指示があると、コントローラ１３はサーボ処理部９、モータ駆動部１０を介してスピンドルモータ３を回転させる。同時にコントローラ１３は光ピックアップ４を光ディスク１上の書き込み開始位置に移動させ、光ピックアップ４に設けられたレーザダイオードを発光させる。アナログ信号処理部８に設けられたウォブル信号生成部８ａでは、光ディスク１から反射される信号を基にウォブル信号を検出し、検出した信号をデジタル信号処理部１１経由でコントローラ１３へ送る。コントローラ１３では、ウォブル信号の周期から、現在の記録速度である記録線速度を検出し（Ｓ１０１）、検出した現在の記録線速度に対応するレーザパワーと今後必要と想定される標準レーザパワーの増加分を記憶部１４から読み込み、デジタル信号処理部１１に設定する（Ｓ１０２）。デジタル信号処理部１１は、レーザパワーと今後必要と想定されるレーザパワーの増加分が設定されると、その設定された条件によりレーザ駆動部１２を介して光ピックアップ４を発光させ記録を開始する（Ｓ１０３）。
【００５３】
記録を開始し始めて一定時間が経過すると、コントローラ１３は再度現在の記録線速度ＶNを検出する（Ｓ１０４）。そして、コントローラ１３は記録線速度に応じたレーザパワー補正が停止中か否かの確認を行う（Ｓ１０５）。記録線速度に応じたレーザパワー補正が停止中でない場合には（Ｓ１０６）に進み、記録線速度に応じたレーザパワー補正が停止中の場合には（Ｓ１０９）に進む。記録線速度に応じたレーザパワー補正が停止中のため（Ｓ１０９）に進むと、補正停止からΔＶSTOPの記録線速度が増加したかの確認を行い、増加していれば記録線速度に応じたパワー補正を実行し（Ｓ１１０）、増加していなければそのまま（Ｓ１１１）に進む。
【００５４】
記録線速度に応じたレーザパワー補正が停止中でないため（Ｓ１０６）に進むと、前回の記録線速度検出時からの記録線速度の変化量ΔＶ＝ＶN−ＶN-1を算出する（Ｓ１０６）。このときのＶN-1は（Ｓ１０４）で算出した記録線速度ＶNとなる。ここで、記録が開始された直後の初回確認時においては、記録線速度に応じたレーザパワー補正が停止中でないため（Ｓ１０６）に進み、ＶN-1は初回に設定した記録線速度ＶNとなる。記録線速度の変化量ΔＶ＝ＶN−ＶN-1が算出されると、その記録線速度の変化量ΔＶに応じたレーザパワー補正量ΔＰを算出する（Ｓ１０７）。パワー補正量ΔＰの算出は、記憶部１４に記憶されている記録線速度の変化量ΔＶに対応するパワー補正量ΔＰを読み込むことにより行われる。記憶されている線速度の変化量ΔＶに対応するパワー補正量ΔＰは予め実験などにより求められ、ＲＯＭなどの記憶部１４に記憶されている。パワー補正量ΔＰが算出されると、コントローラ１３は今まで用いていたレーザパワーＰにパワー補正量ΔＰを加算して新たなレーザパワーを決定し、デジタル信号処理部１１を介してレーザ駆動部１２のレーザパワーを変更する（Ｓ１０８）。そして、レーザ駆動部１２は設定されたレーザパワーＰで光ピックアップ４に設けられたレーザダイオードを駆動し記録を継続する。ここで設定するレーザパワーＰN+1は、現在のレーザパワーＰNに対して記録線速度の変化量ΔＶに対応するパワー補正量ΔＰを加算したものである。
【００５５】
記録が継続され、その後記録の終了を示す記録終了アドレスに到達したことをコントローラ１３が光ピックアップ４、アナログ信号処理部８、デジタル信号処理部１１を介して検知すると（Ｓ１１１）、コントローラ１３はそこで記録を終了させる（Ｓ１２３）。記録が継続され、その後記録の終了を示す記録終了アドレスに到達する前に記録の中断を示す記録中断アドレスに到達したことをコントローラ１３が光ピックアップ４、アナログ信号処理部８、デジタル信号処理部１１を介して検知すると（Ｓ１１２）、コントローラ１３は、デジタル信号処理部１１、レーザ駆動部１２、光ピックアップ４を介してそこで記録を中断させる（Ｓ１１４）。記録が継続され、その後記録終了アドレスもしくは記録中断アドレスに到達しなければ、そのまま記録を続行し、一定時間が経過したら再び現在の記録線速度ＶNを検出する。
【００５６】
記録が継続されて記録中断アドレスに到達し記録が中断されると（Ｓ１１４）、コントローラ１３は、光ピックアップ４、アナログ信号処理部８、デジタル信号処理部１１を経由して記録を中断した直後の終端領域のＲＦ信号を再生する（Ｓ１１５）。その後、再生されたＲＦ信号から図２に示すアシンメトリ残補正量Δｂを算出して（Ｓ１１６）、算出されたアシンメトリ残補正量Δｂを利用してパワー残補正量ΔＰｂを算出する（Ｓ１１７）。そして、コントローラ１３は記録線速度に応じたレーザパワー補正を停止する条件に該当するかの確認を行う（Ｓ１１８）。本実施の形態１においては、記録線速度に応じたパワー補正を停止する条件を図２（ａ）に示すΔＰｂが最適な記録レーザパワーに対して５％以上とした。このようにすることで、一定の記録品質を保つことができる。
【００５７】
コントローラ１３は記録線速度に応じたレーザパワー補正を停止する条件に該当するかの確認において、条件に該当した場合には、パワー残補正量ΔＰｂから記録線速度に応じたレーザパワー補正を停止する線速変化量ΔＶSTOPを算出する（Ｓ１１９）。その後、次回の記録速度に対応する標準レーザパワーを設定せずに現在の記録速度に対応する標準レーザパワーを維持し（Ｓ１２０）、記録を再開する（Ｓ１２２）。また、コントローラ１３は線速度に応じたパワー補正を停止する条件に該当するかの確認において、条件に該当しない場合には線速度に応じたパワー補正を実行するため、標準レーザパワーの更新を行い（Ｓ１２１）、記録を再開する（Ｓ１２２）。記録が再開されると、一定時間経過毎に現在の記録線速度ＶNの検出（Ｓ１０４）を行い、以降記録が終了するまで（Ｓ１０４）〜（Ｓ１２３）のステップを繰り返す。
【００５８】
以降のステップを繰り返す場合、コントローラ１３が記録線速度に応じたレーザパワー補正が停止中か否かの確認を行った際に（Ｓ１０５）、記録線速度に応じたレーザパワー補正が停止中の場合には補正停止からΔＶSTOPの記録線速度が増加したかの確認を行う（Ｓ１０９）。記録線速度が増加していなければ（Ｓ１１１）に進み、記録線速度が増加していれば記録線速度に応じたパワー補正を実行（Ｓ１１０）後に（Ｓ１１１）に進む。
【００５９】
このようにして、レーザ光を用いて光ディスクに記録する際に、記録速度を検出して対応する標準レーザパワーを設定し、現在の記録速度に対応する実際のレーザパワーとの差分が所定値を越えた場合、次回の記録速度に対応する標準レーザパワーを設定せずに現在の記録速度に対応する標準レーザパワーを維持することによって、実際のレーザパワーが最適な記録レーザパワーを上回ったと検知した場合、実際のレーザパワーを一定に維持するので、記録速度が上昇するに伴い実際のレーザパワーを最適な記録レーザパワーに近づけることができる。そのため、レーザダイオードの自己発熱に起因してレーザダイオードの出力が大きくなる場合であっても、記録速度の増加に応じてレーザパワーを最適値に保つことが可能な光ディスク装置を実現することができる。
【００６０】
また、現在の記録速度に対応する標準レーザパワーを維持した後、次々回の記録速度に対応する標準レーザパワーと次々回の記録速度に対応する実際のレーザパワーとの差分が所定値以下の場合、次々回の記録速度において最初の記録速度の増加に対して増加された増加分のレーザパワーを加えることによって、記録速度が速くなり実際のレーザパワーが最適な記録レーザパワーを上回っている状態から下回りそうになったとき、実際のレーザパワーを維持することができる。
【００６１】
（実施の形態２）
以下、本発明の実施の形態２について図面を参照しながら説明する。
【００６２】
本実施の形態２では、レーザ光を用いて光ディスクに記録する際に、記録速度を検出して対応する標準レーザパワーを設定し、現在の記録速度に対応する実際のレーザパワーとの差分が所定値を越えたとき、現在の記録速度に対応する標準レーザパワーより小さいレーザパワーを設定する場合について説明する。本実施の形態２における光ディスク装置のレーザパワー制御部の構成は、図１に示す実施の形態１と同様である。
【００６３】
次に、標準レーザパワーの設定方法と実際のレーザパワーの算出方法について、詳細内容を説明する。
【００６４】
図４は、本発明の実施の形態２における記録線速度とアシンメトリとレーザパワーの関係を示す図である。図４（ａ）は、本発明の実施の形態２における記録線速度とレーザパワーの関係を示す図であり、横軸は光ディスクへの記録速度である記録線速度、縦軸は光ディスクに記録する際のレーザパワーを示したものである。図４（ａ）において、一点鎖線は最適な記録レーザパワー制御の場合の記録速度とレーザパワーの関係を示し、実線は本発明の記録速度とレーザパワーの関係を示したものである。図４（ｂ）は、本発明の実施の形態２における記録線速度とアシンメトリの関係を示す図であり、横軸は光ディスクへの記録速度である記録線速度、縦軸は光ディスクに記録された信号のアシンメトリを示したものである。図４（ｂ）において、一点鎖線は最適な記録レーザパワー制御の場合の記録速度とアシンメトリの関係を示し、実線は本発明の記録速度とアシンメトリとの関係を示したものである。ここで、アシンメトリとは、ＲＦ信号生成部８ｂで生成されたＲＦ信号から光ディスク１に記録された記録マークの３Ｔに相当する信号のみを抽出し、その信号の基準レベルとＲＦ信号全体の基準レベルのレベル差をいう。
【００６５】
光ピックアップ４を用いて光ディスク１に情報の記録を行う際、光ディスク１への記録は光ディスク１の内周側から外周側に向かって記録が行われるため、スピンドルモータ３の回転数が一定の場合、一旦記録が開始されると光ディスク１と光ピックアップ４の相対速度が徐々に大きくなり、記録速度である記録線速度が速くなる。光ディスク１に記録を開始する際の標準レーザパワーの初期値は記憶部１４から読み込まれ、以降光ディスク１に記録する際のレーザパワーは、記録線速度とレーザパワーの関係が図４（ａ）の一点鎖線で示す最適な記録レーザパワー制御の関係に近づくように、記録速度である記録線速度の増加に応じて標準レーザパワーを再設定し、レーザパワーを段階的に増加させる。段階的に増加させるレーザパワーの調整は、光ピックアップ４に設けられたレーザダイオードの出力を変化させることにより調整する。標準レーザパワーの設定は、一定間隔時間で行われる記録線速度の検出と同時に行われ、現在の記録速度に対応する実際のレーザパワーとの差分が所定値を越えた場合には、現在の記録速度に対応する標準レーザパワーより小さいレーザパワーを設定し、その後そのレーザパワーを維持する。
【００６６】
ここで、本実施の形態２におけるレーザパワーとアシンメトリの関係について説明する。
【００６７】
レーザパワーとアシンメトリの関係は、図４（ａ）と図４（ｂ）に示す関係がある。ここで、図４（ａ）と図４（ｂ）に示す横軸の記録線速度を共に同一スケールとしているため、記録線速度とアシンメトリとの関係を直接比較することが可能である。記録線速度に対して最適な記録レーザパワーで記録された信号を再生した場合、その再生信号から算出されるアシンメトリは、それ以外の場合と比較して値が小さくなり、かつ記録線速度に対して一定の値となる。
【００６８】
ところが、記録線速度に対して最適な記録レーザパワーより大きいレーザパワーで記録された場合、アシンメトリは図４（ｂ）に示すように、最適な記録レーザパワーで記録されたときのアシンメトリより大きく、かつ一定の増分で増加する。このときのレーザパワーの増加分を（ΔＰａ＋ΔＰｂ）、アシンメトリの増加分を（Δａ＋Δｂ）とすると、レーザパワー増加分（ΔＰａ＋ΔＰｂ）とアシンメトリの増加分（Δａ＋Δｂ）の関係は、（ΔＰａ＋ΔＰｂ）＝γａ×（Δａ＋Δｂ）となる。ここで、γａはアシンメトリ増加に対するパワー増加率である。
【００６９】
一方、記録線速度が増加してもその記録線速度に応じてレーザパワーが上昇しない場合のアシンメトリは、図４（ｂ）に示すように、最適な記録レーザパワーで記録されたときのアシンメトリより大きく、かつ一定の減少分で減少する。このときのレーザパワーの減少分をΔＰｂ、アシンメトリの減少分をΔｂとすると、レーザパワー減少分ΔＰｂとアシンメトリの減少分Δｂの関係は、ΔＰｂ＝γａ×Δｂとなる。ここで、γａはアシンメトリ増加に対するパワー増加率である。
【００７０】
このように、アシンメトリは記録されたレーザパワーにより変化するため、このようにアシンメトリを測定することによってどのくらいのレーザパワーで記録されたかを知ることができる。
【００７１】
引続き図４を用いて、線速度の変化に対してレーザパワーがどのように変化するかについて説明する。
【００７２】
光ディスク１の所望の位置で記録が開始されると、その所望の位置に対応する記録線速度で記録が行われる。光ディスク１の記録は光ディスク１の内周側から外周側に向かって記録が行われるため、スピンドルモータ３の回転数が一定の場合、一旦記録が開始されると光ディスク１と光ピックアップ４の相対速度が徐々に大きくなり、記録速度である記録線速度が速くなる。
【００７３】
図４（ａ）において、Ａで示す位置を記録開始時の記録線速度とレーザパワーとすると、図４（ａ）の実線で示すように記録開始直後から記録線速度とレーザパワーが大きくなっていく。その後一定時間が経過して、Ｂで示す１回目の記録線速度確認を行うとき、記録を一旦停止して記録停止直前に記録した領域の終端領域を再生し、その再生信号からアシンメトリを算出しレーザパワーを推定する。このとき、現在の記録速度に対応する実際のレーザパワーとの差分が所定値を越えていた場合、図４に示すように現在の記録速度に対応する標準レーザパワーより小さいレーザパワーを設定し、その後標準レーザパワーより小さいレーザパワーを維持する。また、現在の記録速度に対応する実際のレーザパワーとの差分が所定値を越えていない場合には、次回の記録速度に対応する標準レーザパワーを設定し従来と同様の増加分をもったレーザパワーで記録を継続する。また、現在の記録速度に対応する実際のレーザパワーとの差分が所定値を越えていない場合には、次回の記録速度に対応する標準レーザパワーを設定し従来と同様の増加分をもったレーザパワーで記録を継続する。その後、一定時間が経過してＤで示す２回目の記録速度確認を行うとき、１回目の記録速度確認の時と同様に、記録を一旦停止して記録停止直前に記録した領域の終端領域を再生し、その再生信号からアシンメトリを算出しレーザパワーを推定する。このとき、現在の記録速度に対応する実際のレーザパワーとの差分が所定値を越えていた場合、１回目の記録速度確認の時と同様に、現在の記録速度に対応する標準レーザパワーより小さいレーザパワーを設定し、標準レーザパワーより小さいレーザパワーを維持する。また、現在の記録速度に対応する実際のレーザパワーとの差分が所定値を越えていない場合には、図４に示すように次回の記録速度に対応する標準レーザパワーを設定し従来と同様の増加分をもったレーザパワーで記録を行う。
【００７４】
ここで、現在の記録速度に対応する実際のレーザパワーとの差分が所定値を越えて、現在の記録速度に対応する標準レーザパワーより小さいレーザパワーを設定し、標準レーザパワーより小さいレーザパワーを維持する場合には、測定されたアシンメトリ値から算出されたΔＰｂの量から記録線速度に応じたパワー補正区間を算出し、その算出結果に応じてパワー補正停止期間を計算する。パワー補正停止期間ΔＶSTOPは、ΔＶSTOP＝ΔＰｂ×α／γVであり、ここでγVは線速度増加に対するパワー増加率、αは補正区間を微調整するための係数である。また、現在の記録速度に対応する実際のレーザパワーとの差分が所定値を越えていない場合には、予め決められた一定時間後に次の記録速度の測定を行う。
【００７５】
次に、光ディスクに情報を記録する際のレーザパワー制御手順について、図１、図４、図５を用いて説明する。
【００７６】
図５は、本発明の実施の形態２におけるレーザパワー制御手順を示すフローチャートである。
【００７７】
ＨＯＳＴから光ディスク１への書き込み指示があると、コントローラ１３はサーボ処理部９、モータ駆動部１０を介してスピンドルモータ３を回転させる。同時にコントローラ１３は光ピックアップ４を光ディスク１上の書き込み開始位置に移動させ、光ピックアップ４に設けられたレーザダイオードを発光させる。アナログ信号処理部８に設けられたウォブル信号生成部８ａでは、光ディスク１から反射される信号を基にウォブル信号を検出し、検出した信号をデジタル信号処理部１１経由でコントローラ１３へ送る。コントローラ１３では、ウォブル信号の周期から、現在の記録速度である記録線速度を検出し（Ｓ２０１）、検出した現在の記録線速度に対応するレーザパワーと今後必要と想定される標準レーザパワーの増加分を記憶部１４から読み込み、デジタル信号処理部１１に設定する（Ｓ２０２）。デジタル信号処理部１１は、レーザパワーと今後必要と想定されるレーザパワーの増加分が設定されると、その設定された条件によりレーザ駆動部１２を介して光ピックアップ４を発光させ記録を開始する（Ｓ２０３）。
【００７８】
記録を開始し始めて一定時間が経過すると、コントローラ１３は再度現在の記録線速度ＶNを検出する（Ｓ２０４）。そして、コントローラ１３は記録線速度に応じたレーザパワー補正が停止中か否かの確認を行う（Ｓ２０５）。記録線速度に応じたレーザパワー補正が停止中でない場合には（Ｓ２０６）に進み、記録線速度に応じたレーザパワー補正が停止中の場合には（Ｓ２０９）に進む。記録線速度に応じたレーザパワー補正が停止中のため（Ｓ２０９）に進むと、補正停止からΔＶSTOPの記録線速度が増加したかの確認を行い、増加していれば記録線速度に応じたパワー補正を実行し（Ｓ２１０）、増加していなければそのまま（Ｓ２１１）に進む。
【００７９】
記録線速度に応じたレーザパワー補正が停止中でないため（Ｓ２０６）に進むと、前回の記録線速度検出時からの記録線速度の変化量ΔＶ＝ＶN−ＶN-1を算出する（Ｓ２０６）。このときのＶN-1は（Ｓ２０４）で算出した記録線速度ＶNとなる。ここで、記録が開始された直後の初回確認時においては、記録線速度に応じたレーザパワー補正が停止中でないため（Ｓ２０６）に進み、ＶN-1は初回に設定した記録線速度ＶNとなる。記録線速度の変化量ΔＶ＝ＶN−ＶN-1が算出されると、その記録線速度の変化量ΔＶに応じたレーザパワー補正量ΔＰを算出する（Ｓ２０７）。パワー補正量ΔＰの算出は、記憶部１４に記憶されている記録線速度の変化量ΔＶに対応するパワー補正量ΔＰを読み込むことにより行われる。記憶されている線速度の変化量ΔＶに対応するパワー補正量ΔＰは予め実験などにより求められ、ＲＯＭなどの記憶部１４に記憶されている。パワー補正量ΔＰが算出されると、コントローラ１３は今まで用いていたレーザパワーＰにパワー補正量ΔＰを加算して新たなレーザパワーを決定し、デジタル信号処理部１１を介してレーザ駆動部１２のレーザパワーを変更する（Ｓ２０８）。そして、レーザ駆動部１２は設定されたレーザパワーＰで光ピックアップ４に設けられたレーザダイオードを駆動し記録を継続する。ここで設定するレーザパワーＰN+1は、現在のレーザパワーＰNに対して記録線速度の変化量ΔＶに対応するパワー補正量ΔＰを加算したものである。
【００８０】
記録が継続され、その後記録の終了を示す記録終了アドレスに到達したことをコントローラ１３が光ピックアップ４、アナログ信号処理部８、デジタル信号処理部１１を介して検知すると（Ｓ２１１）、コントローラ１３はそこで記録を終了させる（Ｓ２２６）。記録が継続され、その後記録の終了を示す記録終了アドレスに到達する前に記録の中断を示す記録中断アドレスに到達したことをコントローラ１３が光ピックアップ４、アナログ信号処理部８、デジタル信号処理部１１を介して検知すると（Ｓ２１２）、コントローラ１３は、デジタル信号処理部１１、レーザ駆動部１２、光ピックアップ４を介してそこで記録を中断させる（Ｓ２１４）。記録が継続され、その後記録終了アドレスもしくは記録中断アドレスに到達しなければ、そのまま記録を続行し、一定時間が経過したら再び現在の記録線速度ＶNを検出する。
【００８１】
記録が継続されて記録中断アドレスに到達し記録が中断されると（Ｓ２１４）、コントローラ１３は、光ピックアップ４、アナログ信号処理部８、デジタル信号処理部１１を経由して記録を中断した直後の終端領域のＲＦ信号を再生する（Ｓ２１５）。その後、再生されたＲＦ信号から図４に示すアシンメトリ補正量Δａを設定し（Ｓ２１６）、設定されたアシンメトリ補正量Δａを利用してパワー補正量ΔＰａを算出する（Ｓ２１７）。そして、パワー補正量ΔＰａが算出されるとコントローラ１３は今まで用いていたレーザパワーＰからパワー補正量ΔＰａを減算して新たなレーザパワーを決定し、デジタル信号処理部１１を介してレーザ駆動部１２のレーザパワーを更新する（Ｓ２１８）。そして、レーザ駆動部１２は設定されたレーザパワーＰで光ピックアップ４に設けられたレーザダイオードを駆動し記録を継続する。本実施の形態２においては、設定するアシンメトリ補正量Δａを算出されたレーザパワーの５％以内とした。このようにすることで、このようにすることで、一定の記録品質を保つことができる。
【００８２】
それから、再生されたＲＦ信号から図４に示すアシンメトリ残補正量Δｂを算出して（Ｓ２１９）、算出されたアシンメトリ残補正量Δｂを利用してパワー残補正量ΔＰｂを算出する（Ｓ２２０）。そして、コントローラ１３は記録線速度に応じたレーザパワー補正を停止する条件に該当するかの確認を行う（Ｓ２２１）。本実施の形態２においては、記録線速度に応じたパワー補正を停止する条件を図４（ａ）に示す（ΔＰａ＋ΔＰｂ）が最適な記録レーザパワーに対して５％以上とした。このようにすることで、一定の記録品質を保つことができる。コントローラ１３は記録線速度に応じたレーザパワー補正を停止する条件に該当するかの確認において、条件に該当した場合には、パワー残補正量ΔＰｂから記録線速度に応じたレーザパワー補正を停止する線速変化量ΔＶSTOPを算出する（Ｓ２２２）。その後、次回の記録速度に対応する標準レーザパワーを設定せずに現在の記録速度に対応する標準レーザパワーを維持し（Ｓ２２３）、記録を再開する（Ｓ２２５）。また、コントローラ１３は線速度に応じたパワー補正を停止する条件に該当するかの確認において、条件に該当しない場合には線速度に応じたパワー補正を実行するため、標準レーザパワーの更新を行い（Ｓ２２４）、記録を再開する（Ｓ２２５）。記録が再開されると、一定時間経過毎に現在の記録線速度ＶNの検出（Ｓ２０４）を行い、以降記録が終了するまで（Ｓ２０４）〜（Ｓ２２６）のステップを繰り返す。
【００８３】
以降のステップを繰り返す場合、コントローラ１３が記録線速度に応じたレーザパワー補正が停止中か否かの確認を行った際に（Ｓ２０５）、記録線速度に応じたレーザパワー補正が停止中の場合には補正停止からΔＶSTOPの記録線速度が増加したかの確認を行う（Ｓ２０９）。記録線速度が増加していなければ（Ｓ２１１）に進み、記録線速度が増加していれば記録線速度に応じたパワー補正を実行（Ｓ２１０）後に（Ｓ２１１）に進む。
【００８４】
このようにして、レーザ光を用いて光ディスクに記録する際に、記録速度を検出して対応する標準レーザパワーを設定し、現在の記録速度に対応する実際のレーザパワーとの差分が所定値を越えた場合、現在の記録速度に対応する標準レーザパワーより小さいレーザパワーを設定することによって、実際のレーザパワーが最適な記録レーザパワーを上回ったと検知した場合、実際のレーザパワーを小さくして、その後その実際のレーザパワーを一定に維持するので、記録速度が上昇するに伴い実際のレーザパワーを最適な記録レーザパワーに近づけることができる。そのため、レーザダイオードの自己発熱に起因してレーザダイオードの出力が大きくなる場合であっても、記録速度の増加に応じてレーザパワーを最適値に保つことが可能な光ディスク装置およびそのレーザパワー制御方法を実現することができる。
【００８５】
また、現在の記録速度に対応する標準レーザパワーより小さいレーザパワーを設定した後、次々回の記録速度に対応する標準レーザパワーと次々回の記録速度に対応する実際のレーザパワーとの差分が所定値以下の場合、次々回の記録速度において最初の記録速度の増加に対して増加分のレーザパワーを加えることによって、記録速度が速くなり実際のレーザパワーが最適な記録レーザパワーを上回っている状態から下回りそうになったとき、実際のレーザパワーを維持することができる。
【００８６】
光ディスク装置のレーザパワー制御において、上述した（実施の形態１）、（実施の形態２）の少なくとも１つを用いることにより、記録速度の増加に応じてレーザパワーを最適値に保つことができ、記録品質を安定させることが可能な光ディスク装置およびそのレーザパワー制御方法を実現することができる。
【産業上の利用可能性】
【００８７】
本発明は、記録速度の増加に応じてレーザパワーを最適値に保つことができるため、光ディスクに情報の記録を行う光ディスク装置およびそのレーザパワー制御方法などに適応可能である。
【図面の簡単な説明】
【００８８】
【図１】本発明の実施の形態１における光ディスク装置のレーザパワー制御部を示すブロック図
【図２】本発明の実施の形態１における記録線速度とアシンメトリとレーザパワーの関係を示す図
【図３】本発明の実施の形態１におけるレーザパワー制御手順を示すフローチャート
【図４】本発明の実施の形態２における記録線速度とアシンメトリとレーザパワーの関係を示す図
【図５】本発明の実施の形態２におけるレーザパワー制御手順を示すフローチャート
【図６】従来の光ディスク装置のレーザ制御部を示すブロック図
【図７】記録線速度とレーザパワーの関係を示す図
【符号の説明】
【００８９】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
８ａ    ウォブル信号生成部
８ｂ    ＲＦ信号生成部
１０    モータ駆動部
１１    デジタル信号処理部
１２    レーザ駆動部
１３    コントローラ
１４    記憶部
【図１】
2007280472.tif 000003
【図２】
2007280472.tif 000004
【図３】
2007280472.tif 000005
【図４】
2007280472.tif 000006
【図５】
2007280472.tif 000007
【図６】
2007280472.tif 000008
【図７】
2007280472.tif 000009